(57)【要約】【課題】  弁部材に協働する可動コアと固定コアとを電磁吸引力の発生および消失に応じて接離するものにおいて、接離のための可動コアの形状の簡素化が図れる燃料噴射弁を提供する。【解決手段】  弁座１４に着座および離座する弁部材３０と、弁部材３０に協働して着座方向および離座方向に移動する可動コア５０と、可動コア５０を着座方向に付勢する付勢部材５８と、可動コア５０を付勢部材５８の付勢力に抗して磁気吸引する固定コア５４と、可動コア５０を固定コア５４に磁気吸引するための電磁力を発生するコイル６０とを備え、電磁力の発生および消失により可動コア５０を固定コア５４に接離する燃料噴射弁２において、可動コア５０は、硬さの異なる二つの部材を有し、可動コア５０が固定コア５４に吸引されたとき、二つの部材のうち、硬さの硬い方のストッパ部材５１が固定コア５４に当接する。【選択図】  図２
2006017088.tif 000002
【特許請求の範囲】
【請求項１】
弁座に着座および離座する弁部材と、
前記弁部材に協働して着座方向および離座方向に移動する可動コアと、
前記可動コアを着座方向に付勢する付勢部材と、
前記可動コアを前記付勢部材の付勢力に抗して磁気吸引する固定コアと、
前記可動コアを前記固定コアに磁気吸引するための電磁力を発生するコイルとを備え、前記電磁力の発生および消失により前記可動コアを前記固定コアに接離する燃料噴射弁において、
前記可動コアは、硬さの異なる二つの部材を有し、
前記可動コアが前記固定コアに吸引されたとき、前記二つの部材のうち、硬さの硬い方のストッパ部材が前記固定コアに当接することを特徴とする燃料噴射弁。
【請求項２】
前記ストッパ部材は、前記付勢部材の座面部を有しており、
前記座面部には、前記可動コアの離座方向に移動するときに発生する前記付勢部材の圧縮反力を受ける緩衝部材が設けられていることを特徴とする請求項１に記載の燃料噴射弁。
【請求項３】
前記緩衝部材は、弾性体で形成されていることを特徴とする請求項２に記載の燃料噴射弁。
【請求項４】
前記ストッパ部材は、前記固定コア側の端部に段差を有しており、
前記座面部は、前記段差で形成されていることを特徴とする請求項２または請求項３に記載の燃料噴射弁。
【発明の詳細な説明】
【技術分野】
【０００１】
本発明は、燃料噴射弁に関し、例えば内燃機関に燃料を噴射供給する燃料噴射弁に適用して好適なものである。
【背景技術】
【０００２】
燃料噴射弁としては、内燃機関へ供給する燃料の流通および遮断を正確に行なうために、弁座に着座および離座するニードルを、ニードルに連結され協働する可動コアを介して、磁気吸引力によって固定コアの吸引部材に接離するものが知られている（特許文献１参照）。なお、ニードルを着座方向に付勢するスプリングが設けられており、可動コアと吸引部材は、このスプリングの付勢力に抗する吸引力によって接離される。そのため、可動コアと吸引部材が接するときには、ある程度の衝撃力による衝突が発生する。
【０００３】
特許文献１では、可動コアと吸引部材の衝突による磨耗を防止する技術が開示されている。可動コアの吸引部材側の表面に、電気メッキ等によるクロムコーティング等の硬化処理を行なうものである。
【特許文献１】特表平８−５０６８７７号公報
【発明の開示】
【発明が解決しようとする課題】
【０００４】
しかしながら、従来技術では、磁気吸引力が作用する被吸引部材としての機能と、吸引部材側への移動を規制するストッパ部材としての機能とを、それぞれ可動コアで確保しているため、可動コアの形状が複雑なものとなる。例えば、燃料噴射弁に要求される応答性を確保するため、被磁気吸引部の面積とストッパ部の面積の最適化が必要となり、可動コアの吸引部材側の形状が複雑となる。場合によっては可動コアの形状が複雑化してしまうと、加工工数の増加を招くおそれがある。
【０００５】
また、磁性材で形成される部材をストッパ部材として使用するため、表面にメッキ等による硬化処理が必要となり、加工コストの増大を招いている。
【０００６】
本発明は、このような事情を考慮してなされたものであり、その目的は、弁部材に協働する可動コアと固定コアとを電磁吸引力の発生および消失に応じて接離するものにおいて、接離のための可動コアの形状の簡素化が図れる燃料噴射弁を提供することにある。
【課題を解決するための手段】
【０００７】
本発明は、上記目的を達成するために以下の技術的手段を備える。
【０００８】
即ち、請求項１乃至４記載の発明では、弁座に着座および離座する弁部材と、弁部材に協働して着座方向および離座方向に移動する可動コアと、可動コアを着座方向に付勢する付勢部材と、可動コアを付勢部材の付勢力に抗して磁気吸引する固定コアと、可動コアを固定コアに磁気吸引するための電磁力を発生するコイルとを備え、電磁力の発生および消失により可動コアを固定コアに接離する燃料噴射弁において、可動コアは、硬さの異なる二つの部材有し、可動コアが固定コアに吸引されたとき、二つの部材のうち、硬さの硬い方のストッパ部材が固定コアに当接することを特徴としている。
【０００９】
これにより、可動コアを、例えば固定コア側の離座方向へ移動する最大移動量を規制するストッパ部材と、磁気吸引力の発生および消失により固定コアに接離するための被吸引部材の二つの部材分けて別構成とすることができ、比較的硬さの低い磁性材をスットパ部材として用いることはないので、耐磨耗等のために可動コアの形状を複雑にする必要がない。
【００１０】
したがって、弁部材に協働する可動コアと固定コアとを電磁吸引力の発生および消失に応じて接離するものにおいて、接離のための可動コアの形状の簡素化が図れる。
【００１１】
特に、請求項２記載の発明では、ストッパ部材は、付勢部材の座面部を有しており、座面部には、可動コアの離座方向に移動するときに発生する付勢部材の圧縮反力を受ける緩衝部材が設けられていることを特徴としている。
【００１２】
例えば弁部材が弁座から離座するときつまり燃料噴射弁の開時において、可動コアが電磁力で吸引され固定コア側へ移動すると、可動コアは接離する固定コアに衝突する。この場合、衝突時の衝撃の大きさによっては、固定コアへ衝突したときの反発力によって可動コアつまり弁部材が瞬間的に着座方向に戻される挙動いわゆるバウンスが発生するおそれがある。
【００１３】
これに対して、請求項２に記載の燃料噴射弁では、ストッパ部材は付勢部材の座面部を有し、座面部には、可動コアの離座方向に移動するときに発生する付勢部材の圧縮反力を受ける緩衝部材が設けられているので、ストッパ部材の固定コアへの衝突時に、緩衝部材が衝撃を吸収するため、燃料噴射弁の閉時のバウンス量を低減、またはバウンスが防止される。
【００１４】
また、請求項４記載の発明では、ストッパ部材は、固定コア側の端部に段差を有しており、座面部は、段差で形成されていることを特徴としている。
【００１５】
これによると、ストッパ部材は、固定コア側の端部に段差を有しており、この段差で座面部をなしているので、段差つまり段差部で付勢部材をガイドすることが可能である。したがって、弁部材の着座方向および離座方向への移動時において、付勢部材の伸縮によるずれを防止することができるので、弁部材の安定した作動が実現できる。
【発明を実施するための最良の形態】
【００１６】
以下、本発明の燃料噴射弁を、ガソリンエンジンへ燃料を供給するものに適用して具体化した実施形態を図面に従って説明する。図１は、本実施形態の燃料噴射弁の構成を示す断面図である。図２は、図１中の可動コア周りを示す部分的断面図である。
【００１７】
図１に示すように、燃料噴射弁（以下、インジェクタと呼ぶ）２は、内燃機関（エンジン）、特にガソリンエンジンに用いられる。インジェクタ２は、例えば多気筒（例えば４気筒）ガソリンエンジン（以下、エンジンと呼ぶ）の吸気管または各気筒に取付けられて、気筒内の燃焼室に燃料を噴射供給する。なお、本実施形態では、インジェクタ２は各気筒に設けられているものとする。インジェクタ２には、図示しない燃料ポンプにより加圧された燃料が、燃料分配管（図示せず）を介して供給される。燃料分配管には、一般に、図示しない燃料タンク内の燃料を燃料ポンプ（図示せず）により吸い上げ吐出し、その吐出された燃料が導かれている。なお、吐出される燃料は、図示しないプレーシャレギュレータ等の調圧装置によって所定の圧力に調圧されて、燃料分配管へ送られる。なお、エンジンが直噴エンジンの場合には、内燃機関の燃焼室へ供給する燃料の圧力が約２Ｍｐａ以上とするため、燃料ポンプによって燃料タンクから吸上げられた所定の低圧（例えば０．２Ｍｐａ）の燃料を、図示しない高圧ポンプで加圧し、この加圧された所定の高圧の燃料（例えば、２〜１３Ｍｐａの範囲の所定の燃料）が、燃料分配管を介してインジェクタ２に供給されている。燃料ポンプから吐出される燃料、高圧ポンプから燃料分配管へ供給された燃料は、図示しないプレーシャレギュレータ等の調圧装置によって所定の圧力に調圧されている。なお、以下、本実施例で説明するエンジンは、ガソリン直噴エンジンとする。
【００１８】
インジェクタ２は略円筒形状であり、一端から燃料を受け、内部の燃料通路を経由して他端から燃料を噴射する。インジェクタ２はいわゆる電磁式燃料噴射弁であり、燃料の噴射を遮断および許容する弁部Ｂと、弁部Ｂを駆動する電磁駆動部Ｓとを備えており、一端から燃料通路内に流入した燃料を弁部Ｂからエンジンの気筒に噴射供給する。弁部Ｂは、図１に示すように、弁ボディ１２と、弁部材（以下、ニードルと呼ぶ）３０、ハウジング（以下、弁ハウジングと呼ぶ）１６とを含んで構成されている。
【００１９】
弁ボディ１２は弁ハウジング１６の燃料噴射側端部の内壁に溶接により固定されている。弁ボディ１２は燃料流れ方向の噴孔２１側に向けて縮径する内周面としての円錐面１３を有している。円錐面１３には、ニードル３０が離座および着座可能である。なお、ここで、円錐面１３は、ニードル３０が離座および着座可能な弁座１４を構成する。具体的には、弁座１４には、ニードル３０の当接部３１が離座、着座する。ニードル３０は略軸状に形成され、弁ボディ１２内を軸方向に往復移動可能である。弁ボディ１２は段付きの略有底円筒状に形成され、弁ハウジング１６の下端部の内周側に挿入されている。弁ボディ１２の外周は、段付きを境に下方に向かって縮径している。そして段付きが、弁ハウジング１６の内周側に形成された段差と当接することにより、燃圧で弁ボディ１２が弁ハウジング１６から脱落するのを防止している。
【００２０】
弁座１４の中央側には、弁座１４の燃料流れの下流側に向かって、燃料通路と連通可能な噴孔２１が配置されている。この噴孔２１は、要求される燃料の噴霧の形状、方向、数などに応じて、その大きさ、噴孔軸線の方向、噴孔配列等が決定される。また、噴孔の開口面積は、開弁時の流量を規定する。したがって、インジェクタ２の燃料噴射量は、噴孔の開口面積、ニードル３０のリフト量と、開弁期間とによって計量されている。ニードル３０が弁座１４に着座すると噴孔２１からの燃料噴射が遮断され、ニードル３０が弁座１４から離座すると噴孔２１からの燃料噴射が許容され燃料が噴射される。
【００２１】
電磁駆動部Ｓは、図１に示すように、筒部材４０、可動コア（以下、アーマチャと呼ぶ）５０、固定コア（以下、吸引部材と呼ぶ）５４、コイル６０、およびスプリング５８とを有する。筒部材４０は、弁ハウジング１６の反噴孔側の内周壁に挿入され、溶接により弁ハウジング１６に固定されている。筒部材４０は、噴孔２１側から第１磁性筒部４２、非磁性筒部４４、および第２磁性筒部４６により構成されている。非磁性筒部４４は第１磁性筒部４２と第２磁性筒部４６との磁気的短絡を防止する。この磁気的短絡防止により、コイル６０の通電により発生する電磁力による磁束を、アーマチャ５０と吸引部材５４に効率的に流れるようにしている。
【００２２】
アーマチャ５０は磁性材料で略円筒状に形成されており、ニードル３０の反噴孔側の端部３４と溶接により固定されている。アーマチャ５０はニードル３０とともに往復移動する。アーマチャ５０の筒壁を貫通する流出孔５２は、アーマチャ５０の筒内外を連通する燃料通路を形成している。
【００２３】
なお、本実施形態では、図１および図２に示すように、アーマチャ５０は、吸引部材５４による磁気吸引力が作用する本体部（以下、被吸引部材）と、吸引部材５４に当接可能なストッパ部材５１とを有する。本体部である被吸引部材は磁性材で形成され、ストッパ部材５１は磁性材と異なる硬さを有し、磁性材に比べて材料の硬さ（以下、硬度と呼ぶ）が高い（大きい）。なお、ストッパ部材５１は、図２に示すように、略円筒状に形成され、被吸引部材つまりアーマチャ５０の内部に収容されている。
【００２４】
なお、具体的には、図２に示すように、ストッパ部材は、吸引部材５４側の端部に、段差が形成されており、段差にはスプリング５８の座面部５１ｂが形成されている。なお、さらに詳しくは、ストッパ部材５１は、略円筒状の内壁５１ａと、内壁５１ａの内部に燃料通路孔５１ｃを有する円板状の座面部５１ｂとから構成されている。図２に示すように、ストッパ部材５１は、略円筒状に形成され、被吸引部材つまりアーマチャ５０の内部に収容されている。
【００２５】
なお、本実施形態では、ストッパ部材５１は、ニードル３０の端部３４の上端面に当接するように配置され、アーマチャ５０の内部に嵌合されている。なお、アーマチャ５０の内部にストッパ部材５１が軸方向移動可能に配置されていてもよい。ストッパ部材５１および被吸引部材の内壁５１ａには、アーマチャ５０の貫通孔５２（図１参照）に対応する開口部５１ｋ、５０ｋが設けられている。なお、以下の本実施形態では、アーマチャ５０の内部にストッパ部材５１が軸方向移動可能に配置されているものとする。スプリング５８の付勢力によって、ストッパ部材５１はニードル３０の端部３４の上端面に当接している。
【００２６】
ストッパ部材５１は、アーマチャ５０の本体部である被吸引部材に対して、軸方向上方に突出している（図２中の高さｈが突出量に相当）。これにより、アーマチャ５０が吸引部材５４に電磁吸引力によって引き寄せられるとき、ストッパ部材５１が吸引部材５４に当接する。これにより、アーマチャ５０と協働するニードル３０の最大リフト（フルリフト）量が規定される。ストッパ部材５１は、磁性材に比べて硬度が高い比較的硬い材料を使用しているため、電磁吸引力の発生および消失によるアーマチャ５０と吸引部材５４の接離が繰り返えされる場合であっても、磨耗しにくい。そのため、従来のアーマチャのように、アーマチャの吸引部材側の端部に硬化処理を実施する必要がない。また、端部を、従来技術のように、被磁気吸引部の面積とストッパ部の面積の最適化を図るための略楔状等の複雑な形状に形成する必要がない（図２参照）。
【００２７】
吸引部材５４は磁性材料で略円筒状に形成されている。吸引部材５４は筒部材４０内に挿入されており、筒部材４０と溶接により固定されている。吸引部材５４はアーマチュア５０に対し反噴孔側に設置されアーマチャア５０に向きあっている。アジャスティングパイプ５６は吸引部材５４の内周に圧入され、内部に燃料通路を形成している。スプリング５８は一端部でアジャスティングパイプ５６に係止され、他端部でアーマチャ５０に係止されている。アジャスティングパイプ５６の圧入量を調整することにより、アーマチャ５０に付勢するスプリング５８の荷重が変更される。スプリング５８の付勢力によりアーマチャ５０およびニードル３０は弁座１４に向けて付勢されている。コイル６０はスプール６２に巻回されている。ターミナル６５はコネクタ６４にインサート成形されており、コイル６０と電気的に接続している。コイル６０に通電すると、アーマチャ５０と吸引部材５４との間に磁気吸引力が働き、スプリング５８の付勢力に抗してアーマチャ５０は吸引部材５４側に吸引される。
【００２８】
なお、ここで、弁ボディ１２とニードル３０とは燃料の噴射を遮断および許容する弁部Ｂを構成する。弁部Ｂのうち、弁座１４と当接部３１はシート部を構成する。弁ボディ１２（詳しくは、噴孔２１）は燃料を微粒化し、噴霧を形成する燃料噴霧形成手段を構成する。コイル６０とアーマチャ５０と吸引部材５４と筒部材４０とスプリング５８とは弁部Ｂを駆動する電磁駆動部Ｓを構成する。
【００２９】
上述の構成を有するインジェクタ２の作動について以下説明する。コネクタ６４を介してコイル６０へ通電する（以下、インジェクタ２の開時と呼ぶ）と、コイル６０には電磁力が生じる。アーマチャ５０は吸引部材５４に向けて引き付けられ、ニードル３０が弁座から離座する。なお、インジェクタ２は、吸引部材５４とストッパ部材５１との隙間により、弁座１４から離座方向に移動するニードル３０の距離つまりリフトを制御し、弁部Ｂを開する。弁部Ｂは、前記燃料通路に流入した燃料を気筒に噴射する。
【００３０】
コイル６０への電流供給が停止される（以下、インジェクタ２の閉時と呼ぶ）と、コイル６０に生じていた電磁力が消失する。ニードル３０が、スプリング５８により着座方向に押付けられ、弁部Ｂが閉し、噴射を終了する。コイル６０への通電期間を調整することにより、インジェクタ１０から噴射される燃料噴霧の燃料噴射量が調節される。なお、燃料流入口部４８の内孔を通じて流入した燃料は、吸引部材５４内の燃料通路、アジャスティングパイプ５６内の燃料通路、アーマチャ５０内の燃料通路、流出孔５２、弁ハウジング１６の内周壁とニードル３０の外周壁との間を順次通過する。さらに、ニードル３０のリフトに応じて当接部３１と弁座１４との間に形成される開口流路を、燃料が通過し噴孔２１に導かれる。
【００３１】
次に、本実施形態の作用効果を説明すると、（１）アーマチャ５０と、スプリング５８と、アーマチャ５０をスプリング５８の付勢力に抗して磁気吸引する吸引部材５４と、磁気吸引するための電磁力を発生するコイル６０とを備え、電磁力の発生および消失によりアーマチャ５０を吸引部材５４に接離する燃料噴射弁において、吸引部材５４に接離するアーマチャ５０を、硬さの異なる二つの部材に分割可能な構成とする。これにより、アーマチャ５０を、例えば吸引部材５４側の離座方向へ移動する最大移動量を規制するスットパ部材と、磁気吸引力の発生および消失により吸引部材５４に接離するための被吸引部材の二つの部材分けて別構成とすることができる。
【００３２】
さらに、二つの部材のうち、硬さの硬い方の部材を、吸引部材５４に当接するストッパ部材として使用するようにする。これにより、比較的硬さの低い磁性材をスットパ部材として用いることはないので、耐磨耗等のためにアーマチャ５０の形状を複雑にする必要もない。
【００３３】
したがって、ニードル３０に協働するアーマチャ５０と吸引部材５４とを電磁吸引力の発生および消失に応じて接離するものにおいて、接離のためのアーマチャ５０の形状の簡素化が図れる。
【００３４】
（２）なお、詳しくは、本実施形態では、アーマチャ５０は、吸引部材５４による磁気吸引力が作用する本体部としての被吸引部材と、吸引部材５４に当接可能なストッパ部材５１とを有する。ストッパ部材は、被吸引部材の磁性材と異なる硬さを有し、磁性材に比べて硬い。ストッパ部材は、アーマチャ５０の被吸引部材に対して軸方向に突出している。これにより、アーマチャ５０が吸引部材５４に電磁吸引力によって引き寄せられるとき、ストッパ部材５１が吸引部材５４に当接する。これにより、アーマチャ５０と協働するニードル３０の最大リフト（フルリフト）量が規定される。ストッパ部材５１は、磁性材に比べて比較的硬い材料を使用しているため、電磁吸引力の発生および消失によるアーマチャ５０と吸引部材５４の接離が繰り返えされる場合であっても、磨耗しにくい。そのため、従来のアーマチャのように、アーマチャの吸引部材側の端部に硬化処理を実施する必要がない。また、端部を、従来技術のように、被磁気吸引部の面積とストッパ部の面積の最適化を図るための略楔状等の複雑な形状に形成する必要がない。
【００３５】
（３）さらになお、本実施形態では、ストッパ部材は、吸引部材５４側の端部に、段差が形成されており、段差にはスプリング５８の座面部５１ｂが形成されているので、段差つまり段差部でスプリング５８をガイドすることが可能である。したがって、ニードル３０の着座方向および離座方向への移動時において、スプリング５８の伸縮によるずれを防止することができるので、電磁力の発生および消失時つまりインジェクタ２の開閉時に、ニードル３０の安定した作動が実現できる。
【００３６】
（第２の実施形態）
以下、本発明を適用した他の実施形態を説明する。なお、以下の実施形態においては、第１の実施形態と同じもしくは均等の構成には同一の符号を付し、説明を繰返さない。
【００３７】
第２の実施形態では、図３に示すように、第１の実施形態で説明したスットパ部材５１に緩衝部材５３を設けている。図３は、本実施形態に係わる可動コア周りを示す部分的断面図である。
【００３８】
図３に示すように、緩衝部材５３は略円筒状のゴム材で形成されており、ストッパ部材１５１の吸引部材５４側とは反対端に設けられている。なお、具体的には、緩衝部材５３は、ストッパ部材１５１とニードル３０の端部３４との間に配置されている。なお、ストッパ部材１５１は、略円筒状の内壁１５１ａと、内壁１５１ａの内部に燃料通路孔１５１ｃを有する円板状の座面部１５１ｂとから構成されており、アーマチャ５０の内部に収容されている。
【００３９】
ストッパ部材１５１および緩衝部材５３は、アーマチャ５０の本体部である被吸引部材に対して軸方向に突出するように、アーマチャ５０内に組み込まれている。なお、所定の突出量ｈは、ストッパ部材１５１および緩衝部材５３にスプリング５８の付勢力が加えられるときでも、ｈ＞０であるように設定されている。なお、緩衝部材５３は、ストッパ部材１５１と、これに連結するニードル３０との間に挟み込まるように配設されている。
【００４０】
次に、本実施形態の作用効果を説明すると、（１）この様な構成にしても、第１の実施形態と同様な効果を得ることができる。
【００４１】
（２）一般に、ニードル３０が弁座１４から離座するときつまりインジェクタ２の開時において、アーマチャ５０が電磁力により吸引され吸引部材５４側へ移動すると、アーマチャ５０は接離する吸引部材５４に衝突する。この場合、衝突時の衝撃の大きさによっては、吸引部材５４へ衝突したときの反発力によってアーマチャ５０つまりニードル３０が瞬間的に着座方向に戻される挙動いわゆるバウンスが発生するおそれがある。
【００４２】
これに対して、本実施形態の燃料噴射弁では、ストッパ部材１５１には、スプリングの圧縮反力を受ける緩衝部材５３が設けられている。これにより、インジェクタ２の開時（ニードルが離座方向に向かって移動するとき）、アーマチャ５０の吸引部材５４への衝突時に発生するスプリング５８の圧縮反力を、緩衝部材５３で受けることができる。したがって、アーマチャ５０（詳しくはストッパ部材１５１）が吸引部材５４へ衝突したとしても、緩衝部材５３が衝撃を吸収するので、インジェクタ２の閉時のバウンス量を低減、またはバウンスが防止される。
【００４３】
（３）なお、本実施形態では、緩衝部材５３は、ストッパ部材１５１と、これに連結するニードル３０との間に挟み込まるように配設される構成で説明したが、スットパ部材１５１の内壁１５１ａおよび座面部１５１ｂのうちいずれかに組み込まれているものであってもよい。いずれの場合でも、ストッパ部材１５１は、座面部１５１ｂでスプリング５８の圧縮反力を直接受けることができとともに、アーマチャ５０（詳しくはストッパ部材１５１）の吸引部材５４への衝突時に、緩衝部材５３でその衝突による衝撃を吸収することができる。
【００４４】
（第３、第４、第５の実施形態）
第３、第４、第５の実施形態では、第２の実施形態で説明したストッパ部材１５１に設ける緩衝部材５３に代えて、図４、図５、および図６に従って、種々の形状等を提案する。図４は、第３の実施形態に係わる可動コア周りを示す部分的断面図である。図５は、第４の実施形態に係わる可動コア周りを示す部分的断面図である。図６は、第５の実施形態に係わる可動コア周りを示す部分的断面図である。
【００４５】
第３の実施形態では、第２の実施形態にて緩衝部材５３を略円筒状のゴム材から形成するものとして説明したが、図４に示すように、緩衝部材１５３として、Ｏリングを使用する。これにより、緩衝部材１５３にゴム材で形成する場合、比較的安価なＯリングを使用するので、アーマチャ５０つまりインジェクタ２のコスト増加を抑えることができる。
【００４６】
第４の実施形態では、図５に示すように、緩衝部材２５３として、圧縮スプリングを使用する。これにより、緩衝部材２５３は、圧縮スプリングのばね仕様（ばね材、ばね定数、巻数等）を変えることで、例えばストッパ部材１５１の座面部１５１ｂに受けるスプリング５８の圧縮反力等の大きさに応じて所定の突出量ｈの大きさを設定する設定自由度の向上が図れる。
【００４７】
第５の実施形態では、図６に示すように、緩衝部材３５３として、皿ばねを使用する。この様な構成にしても、緩衝部材３５３は、スプリング５８の圧縮反力等を吸収することができる。さらに、緩衝部材３５３に皿ばねを使用することで、アーマチャ５０内に緩衝部材３５３を組み込むための必要な軸方向空間の大きさを小さくすることができるので、アーマチャ５０つまりインジェクタ２の軸方向の小型化が図れる。
【００４８】
（その他の実施形態）
以上説明した本実施形態において、緩衝部材として、ゴム材、圧縮スプリング等を使用するものとして説明したが、ゴム材に限らず、弾性を有する樹脂材、あるいは所定の弾性力を有する波状座金（ウェーブワッシャ）等のばね部品でもよく、弾性体であればいずれのものであってもよい。
【００４９】
以上説明した本実施形態において、直噴エンジン用のインジェクタ２として説明したが、直噴エンジンのように気筒内の燃焼室に燃料を直接噴射供給するものに限らず、吸気管等に噴射することで燃焼室に間接的に噴射供給するものであってもよい。
【００５０】
以上説明した本実施形態では、弁部Ｂを構成する弁ボディ１２に、噴霧形成手段としての噴孔２１が配置されているものとして説明したが、弁ボディ１２に噴霧形成手段を有するものに限らず、弁ボディの底部に配置され、噴霧形成手段を有する噴孔プレートを備えるインジェクタであってもよい。なお、噴孔プレートは、例えば、略有底筒状に形成され、弁ハウジング１６の底部の内壁と弁ボディ１２の底部の内壁との間に挟持されている。噴孔プレートには複数個の噴孔２１が配置されている。噴孔プレートは燃料を微粒化し、噴霧を形成する燃料噴霧形成手段を構成する。
【図面の簡単な説明】
【００５１】
【図１】本発明の第１の実施形態の燃料噴射弁の構成を示す断面図である。
【図２】図１中の可動コア周りを示す部分的断面図である。
【図３】第２の実施形態に係わる可動コア周りを示す部分的断面図である。
【図４】第３の実施形態に係わる可動コア周りを示す部分的断面図である。
【図５】第４の実施形態に係わる可動コア周りを示す部分的断面図である。
【図６】第５の実施形態に係わる可動コア周りを示す部分的断面図である。
【符号の説明】
【００５２】
２  インジェクタ（燃料噴射弁）
１２  弁ボディ
１４  弁座
２１  噴孔
３０  ニードル（弁部材）
３１  当接部
４０  筒部材
４２  第１磁性筒部
４４  非磁性筒部
４６  第２磁性筒部
５０  アーマチャ（可動コア）
５１  ストッパ部材
５１ａ  内壁
５１ｂ  座面部
５４  吸引部材（固定コア）
５８  スプリング（付勢部材）
６０  コイル
Ｂ  弁部
Ｓ  電磁駆動部
【図１】
2006017088.tif 000003
【図２】
2006017088.tif 000004
【図３】
2006017088.tif 000005
【図４】
2006017088.tif 000006
【図５】
2006017088.tif 000007
【図６】
2006017088.tif 000008